(57)【要約】      （修正有）【課題】安定した美容効果を得ることができる美容装置を提供する。【解決手段】本発明に係る美容装置は、筐体１と、筐体１の上部に設けられ、筐体１の前方の施術領域に向けて光を照射する光源部５と、筐体１において光源部５よりも下方に間隔を空けて設けられ、施術領域に向けてミストを噴霧するミスト噴霧部４とを備える。光源部５を筐体１の上部に設け、ミスト噴霧部４を光源部５よりも下方に間隔を空けて設けることにより、ミストと光とが干渉するのを抑制し、安定した美容効果を得ることができる。【選択図】図２
2019037714.tif 000002
【特許請求の範囲】
【請求項１】
筐体と、
前記筐体の上部に設けられ、前記筐体の前方の施術領域に向けて光を照射する光源部と、
前記筐体において前記光源部よりも下方に間隔を空けて設けられ、前記施術領域に向けてミストを噴霧するミスト噴霧部と、
を備える美容装置。
【請求項２】
前記筐体は、前記ミスト噴霧部が設けられる本体と、前記本体に接続され前記ミスト噴霧部を開閉自在に覆い、前記光源部が設けられる蓋体と、を備え、
前記蓋体が閉位置のとき、前記ミスト噴霧部が前記蓋体によって覆われ、
前記蓋体が開位置のとき、前記ミスト噴霧部が開放されると共に前記光源部が前記筐体の上部の照射位置に位置するように構成されている、
請求項１に記載の美容装置。
【請求項３】
前記筐体は、前記蓋体を回転させる回転軸を、前記ミスト噴霧部よりも後方において、前後方向及び鉛直方向と直交する方向に沿って有し、
前記回転軸を中心に前記蓋体が回転することにより、前記蓋体が前記ミスト噴霧部を開閉自在に覆うように構成されている、
請求項２に記載の美容装置。
【請求項４】
前記蓋体は、前記蓋体が前記閉位置のとき前記本体の上面及び前面を覆うように一部が屈曲した形状を有し、
前記光源部は、前記蓋体において前記回転軸から離れた先端部に設けられる、
請求項３に記載の美容装置。
【請求項５】
前記蓋体が前記開位置のとき、前記ミスト噴霧部は、前記施術領域の第１施術部にミストを斜め下方から噴霧し、前記光源部は、前記施術領域において前記第１施術部よりも上方に位置する第２施術部に光を水平又は略水平に照射し、
前記回転軸と前記光源部との距離は、前記ミスト噴霧部と前記第１施術部との距離と同じか又は略同じに設定され、
前記回転軸と前記ミスト噴霧部との前後方向の距離は、前記蓋体が前記開位置における、前記光源部と前記第２施術部との前後方向の距離と同じか又は略同じに設定され、
前記回転軸と前記ミスト噴霧部との鉛直方向の距離は、前記第１施術部と前記第２施術部との鉛直方向の距離と同じか又は略同じに設定される、
請求項３又は４に記載の美容装置。
【請求項６】
前記蓋体は、前記回転軸と平行に設けられ前記光源部を回転可能に支持する照射方向調整軸を備え、
前記光源部は、前記照射方向調整軸を中心に回転することにより、光を照射する方向を調整可能に構成されている、請求項３から５のいずれか一項に記載の美容装置。
【請求項７】
前記ミスト噴霧部は、前記回転軸と平行に設けられ前記ミスト噴霧部を回転可能に支持する噴霧方向調整軸を備え、前記噴霧方向調整軸を中心に回転することにより、ミストを噴霧する方向を調整可能に構成されている、請求項３から６のいずれか一項に記載の美容装置。
【請求項８】
前記蓋体は、前記蓋体が前記閉位置に位置する状態で、前記ミスト噴霧部を覆う外蓋部閉位置と前記ミスト噴霧部を外部に露出させる外蓋部開位置とに移動可能な外蓋部を有する、請求項２から７のいずれか一項に記載の美容装置。
【発明の詳細な説明】
【技術分野】
【０００１】
本発明は、使用者の肌に対してミストの噴霧及び光の照射を行うことで美容効果を与える美容装置に関する。
【背景技術】
【０００２】
従来、使用者の肌に対してミストを噴霧すると共に光を照射することで、肌のたるみや小じわ等を改善する美容効果を得られることが知られている。使用者の肌にミストを噴霧すると共に光を照射する装置としては、例えば、特許文献１（特開２０１２−２３５９２２号公報）に記載された美容装置が知られている。
【先行技術文献】
【特許文献】
【０００３】
【特許文献１】特開２０１２−２３５９２２号公報
【発明の概要】
【発明が解決しようとする課題】
【０００４】
しかしながら、特許文献１の美容装置では、安定した美容効果を得るという観点において、未だ改善の余地がある。
【０００５】
従って、本発明の目的は、前記課題を解決することにあって、安定した美容効果を得ることができる美容装置を提供することにある。
【課題を解決するための手段】
【０００６】
前記目的を達成するために、本発明に係る美容装置は、筐体と、
前記筐体の上部に設けられ、前記筐体の前方の施術領域に向けて光を照射する光源部と、
前記筐体において前記光源部よりも下方に間隔を空けて設けられ、前記施術領域に向けてミストを噴霧するミスト噴霧部と、
を備えるように構成されている。
【発明の効果】
【０００７】
本発明に係る美容装置によれば、安定した美容効果を得ることができる。
【図面の簡単な説明】
【０００８】
【図１】本発明の実施形態に係る美容装置の斜視図
【図２】図１の美容装置の蓋体が開位置に位置する状態を示す斜視図
【図３】図１の美容装置の縦断面図
【図４】図１の美容装置の分解斜視図
【図５】図１の美容装置の外蓋部が外蓋部開位置に位置する状態を示す斜視図
【図６】図１の美容装置の光源部を回転させた状態を示す斜視図
【図７Ａ】図１の美容装置の蓋体が開位置に位置する状態を示す側面図
【図７Ｂ】図７Ａの状態から蓋体の位置を調整した状態を示す側面図
【発明を実施するための形態】
【０００９】
（本発明の基礎となった知見）
本発明者らは、安定した美容効果を得るために鋭意検討した結果、以下の知見を得た。
【００１０】
従来の美容装置では、施術領域にミストを噴霧するミスト噴霧部と、ミスト噴霧部に隣接して設けられ、施術領域に光を照射する光源部とを備えている。施術時、施術領域に、ミスト噴霧部からミストが噴霧されると共に光源部から光が照射されている。
【００１１】
しかしながら、従来の美容装置においては、ミスト噴霧部と光源部とが隣接しているため、ミストの噴霧及び光の照射を同時に行う場合、ミストと光とが干渉して施術領域に対する美容効果が不安定になるおそれがある。
【００１２】
これに対して、本発明者らは、光源部を筐体の上部に設け、ミスト噴霧部を光源部よりも下方に間隔を空けて設けることにより、ミストと光とが干渉するのを抑制し、安定した美容効果を得ることができることを見出した。
【００１３】
これらの新規な知見に基づき、本発明者らは、以下の発明に至った。
【００１４】
本発明の第１態様によれば、筐体と、
前記筐体の上部に設けられ、前記筐体の前方の施術領域に向けて光を照射する光源部と、
前記筐体において前記光源部よりも下方に間隔を空けて設けられ、前記施術領域に向けてミストを噴霧するミスト噴霧部と、
を備える美容装置を提供する。
【００１５】
本発明の第２態様によれば、前記筐体は、前記ミスト噴霧部が設けられる本体と、前記本体に接続され前記ミスト噴霧部を開閉自在に覆い、前記光源部が設けられる蓋体と、を備え、
前記蓋体が閉位置のとき、前記ミスト噴霧部が前記蓋体によって覆われ、
前記蓋体が開位置のとき、前記ミスト噴霧部が開放されると共に前記光源部が前記筐体の上部の照射位置に位置するように構成されている、
第１態様に記載の美容装置を提供する。
【００１６】
本発明の第３態様によれば、前記筐体は、前記蓋体を回転させる回転軸を、前記ミスト噴霧部よりも後方において、前後方向及び鉛直方向と直交する方向に沿って有し、
前記回転軸を中心に前記蓋体が回転することにより、前記蓋体が前記ミスト噴霧部を開閉自在に覆うように構成されている、
第２態様に記載の美容装置を提供する。
【００１７】
本発明の第４態様によれば、前記蓋体は、前記蓋体が前記閉位置のとき前記本体の上面及び前面を覆うように一部が屈曲した形状を有し、
前記光源部は、前記蓋体において前記回転軸から離れた先端部に設けられる、
第３態様に記載の美容装置を提供する。
【００１８】
本発明の第５態様によれば、前記蓋体が前記開位置のとき、前記ミスト噴霧部は、前記施術領域の第１施術部にミストを斜め下方から噴霧し、前記光源部は、前記施術領域において前記第１施術部よりも上方に位置する第２施術部に光を水平又は略水平に照射し、
前記回転軸と前記光源部との距離は、前記ミスト噴霧部と前記第１施術部との距離と同じか又は略同じに設定され、
前記回転軸と前記ミスト噴霧部との前後方向の距離は、前記蓋体が前記開位置における、前記光源部と前記第２施術部との前後方向の距離と同じか又は略同じに設定され、
前記回転軸と前記ミスト噴霧部との鉛直方向の距離は、前記第１施術部と前記第２施術部との鉛直方向の距離と同じか又は略同じに設定される、
第３又は４態様に記載の美容装置を提供する。
【００１９】
本発明の第６態様によれば、前記蓋体は、前記回転軸と平行に設けられ前記光源部を回転可能に支持する照射方向調整軸を備え、
前記光源部は、前記照射方向調整軸を中心に回転することにより、光を照射する方向を調整可能に構成されている、第３から５態様のいずれか１つに記載の美容装置を提供する。
【００２０】
本発明の第７態様によれば、前記ミスト噴霧部は、前記回転軸と平行に設けられ前記ミスト噴霧部を回転可能に支持する噴霧方向調整軸を備え、前記噴霧方向調整軸を中心に回転することにより、ミストを噴霧する方向を調整可能に構成されている、第３から６態様のいずれか１つに記載の美容装置を提供する。
【００２１】
本発明の第８態様によれば、前記蓋体は、前記蓋体が前記閉位置に位置する状態で、前記ミスト噴霧部を覆う外蓋部閉位置と前記ミスト噴霧部を外部に露出させる外蓋部開位置とに移動可能な外蓋部を有する、第２から７態様のいずれか１つに記載の美容装置を提供する。
【００２２】
以下、本発明の実施形態について、図面を参照しながら説明する。なお、この実施形態によって本発明が限定されるものではない。
【００２３】
《実施形態》
図１は、本発明の実施形態に係る美容装置の斜視図である。図１に示すように、本実施形態に係る美容装置は略直方体形状を有する筐体１を備えている。筐体１は、本体２と、本体２に開閉自在に接続される蓋体３とを備えている。
【００２４】
図２は、図１の美容装置の蓋体３が開位置に位置する状態を示す斜視図である。図２に示すように、本体２の上面には、筐体１の前方の施術領域に向けてミストを噴霧するミスト噴霧部４が設けられている。本実施形態において、施術領域は使用者の顔面である。また、本体２には、電源コード（図示せず）が接続されている。電源コードが外部電源に接続されることにより、本実施形態に係る美容装置を駆動するための電力が供給される。
【００２５】
図３は、図１の美容装置の縦断面図である。図３に示すように、本体２には、ミスト噴霧部４が噴霧するミストを生成するミスト生成部２１と、ミスト生成部２１に対して給水する給水タンク２２とが設けられている。また、本実施形態では、本体２は、蓋体３を回転させる回転軸２３を、ミスト噴霧部４よりも後方において、前後方向（Ｘ方向）及び鉛直方向（Ｚ方向）と直交する方向（Ｙ方向）に沿って有している。
【００２６】
図４は、図１の美容装置の分解斜視図である。図４に示すように、本体２の側面には、押すことによって蓋体３の回転移動の制限を解放するボタン２４が設けられている。
【００２７】
図２に示すように、ミスト噴霧部４は、ミストを噴霧する噴霧口４１を有する。また、図３に示すように、ミスト噴霧部４は、回転軸２３と平行に設けられミスト噴霧部４を回転可能に支持する噴霧方向調整軸４２を備えている。ミスト噴霧部４は、噴霧方向調整軸４２を中心に回転することにより、ミストを噴霧する方向を調整可能に構成されている。また、ミスト噴霧部４は、蒸気及び冷ミストを噴霧するように構成されている。本実施形態において、調整とは、１８０度以内の角度で軸を中心に回転させることを意味する。
【００２８】
蓋体３は、使用者が図４に示すボタン２４を押すことによって、閉位置（図１）の状態から開位置（図２）の状態へと移動する。図２に示すように、蓋体３が開位置のとき、ミスト噴霧部４が筐体１において光源部５よりも下方に間隔を空けて設けられている。具体的には、蓋体３が開位置のとき、ミスト噴霧部４が開放されると共に、光源部５が筐体１の上部の照射位置に位置するように構成されている。蓋体３は、回転軸２３を中心に回転することにより、ミスト噴霧部４を開閉自在に覆うように構成されている。
【００２９】
図１に示すように、蓋体３は、蓋体３が閉位置のとき本体２の上面及び前面を覆うように一部が屈曲した形状を有している。蓋体３は、蓋体３が閉位置のとき、本体２の前面を覆う光源部５と、本体２の上面を覆う外蓋部６と、光源部５及び外蓋部６を回転可能に保持する保持部７とを備えている。
【００３０】
図３に示すように、光源部５は、蓋体３において回転軸２３から離れた先端部に設けられている。本実施形態において、光源部５は、蓋体３が閉位置のとき本体２の前面に設けられている。また、光源部５は、蓋体３が閉位置のとき、蓋体３の下端部において、施術領域に向けて光を照射する光源５１を有する。
【００３１】
外蓋部６は、蓋体３が閉位置に位置する状態で、ミスト噴霧部４を覆う外蓋部閉位置とミスト噴霧部４を外部に露出させる外蓋部開位置とに移動可能に構成されている。
【００３２】
図４に示すように、保持部７は、回転軸２３と平行に設けられ外蓋部６を回転可能に支持する外蓋部回転軸３１を備えている。図５は、図１の美容装置の外蓋部６が外蓋部開位置に位置する状態を示す斜視図である。図５に示すように、使用者が外蓋部回転軸３１を中心に外蓋部６を回転させることにより、蓋体３が閉位置のときでもミスト噴霧部４が開閉されるように構成されている。
【００３３】
図４に示すように、保持部７は、回転軸２３と平行に設けられ光源部５を回転可能に支持する照射方向調整軸３２を備えている。図６は、図１の美容装置の光源部５を回転させた状態を示す斜視図である。図６に示すように、照射方向調整軸３２を中心に光源部５を回転させることにより、光を照射する方向が調整可能に構成されている。
【００３４】
図７Ａは、図１の美容装置の蓋体３が開位置に位置する状態を示す側面図である。図７Ａに示すように、蓋体３が開位置のとき、ミスト噴霧部４は、施術領域の第１施術部４３にミストを斜め下方から噴霧し、光源部５は、施術領域において第１施術部４３よりも上方に位置する第２施術部５２に光を水平又は略水平に照射する。本実施形態において、第１施術部４３は顎であり、第２施術部５２は鼻である。
【００３５】
回転軸２３と光源部５の先端部５３との距離は、ミスト噴霧部４の噴霧口４１と第１施術部４３との噴霧距離Ｄ１と同じか又は略同じに設定されている。また、回転軸２３とミスト噴霧部４の噴霧口４１との前後方向（Ｘ方向）の距離は、蓋体３が開位置における、光源部５の先端部５３と第２施術部５２との前後方向（Ｘ方向）の照射距離Ｄ２と同じか又は略同じに設定されている。また、回転軸２３とミスト噴霧部４の噴霧口４１との鉛直方向（Ｚ方向）の距離は、第１施術部４３と第２施術部５２との鉛直方向（Ｚ方向）の距離と同じか又は略同じに設定されている。
【００３６】
施術の開始時、使用者が図４に示す本体２のボタン２４を押すことにより、蓋体３は閉位置（図１）から開位置（図２）へと移動する。その後、使用者は、ミスト噴霧部４がミストを第１施術部４３に噴霧するように、ミストを噴霧する方向を調整する。その後、使用者が開始ボタン（図示せず）を押すことで、ミスト噴霧部４が噴霧距離Ｄ１で第１施術部４３に斜め下方からミストを噴霧すると共に、光源部５が照射距離Ｄ２で第２施術部５２に水平又は略水平に光を照射する。噴霧距離Ｄ１は例えば２５ｃｍに設定され、照射距離Ｄ２は例えば１５ｃｍに設定される。
【００３７】
図７Ｂは、図７Ａの状態から蓋体３の位置を調整した状態を示す側面図である。蓋体３が開位置において、光源部５の高さが第２施術部５２の高さと異なるとき、図７Ｂに示すように、使用者は蓋体３の調整を行う。使用者は、光源部５の先端部５３の高さが第２施術部５２の高さになるように、回転軸２３を中心に蓋体３を回転させる。さらに、使用者は、光源部５が第２施術部５２に対して水平に光を照射するように、照射方向調整軸３２を中心に蓋体３の光源部５を回転させる。その後、使用者は、ミスト噴霧部４がミストを第１施術部４３に噴霧するように、ミストを噴霧する方向を調整する。
【００３８】
本実施形態に係る美容装置によれば、ミスト噴霧部４が光源部５よりも下方に間隔を空けて設けられている。この構成によれば、ミストを施術領域の斜め下方から噴霧すると共に、光を施術領域に対して水平に照射することができる。これにより、施術領域の適切な位置に向かってミストの噴霧及び光の照射を行うことができる。また、ミストと光との干渉を抑制することができる。その結果、安定した美容効果を得ることができる。
【００３９】
また、本実施形態に係る美容装置によれば、蓋体３が開閉自在に移動することができるため、蓋体３に設けられた光源部５は施術領域のより適切な位置に向かって光を照射することができる。また、蓋体３が閉位置のとき、ミスト噴霧部４は蓋体３によって覆われていることで、ミスト噴霧部４に埃などが入ることを抑制することができる。このため、ミスト噴霧部４を清潔に保つことができる。
【００４０】
また、本実施形態に係る美容装置によれば、蓋体３が回転軸２３を中心に回転することで、蓋体３に設けられた光源部５は、回転軸２３から一定の距離で前後方向（Ｘ方向）及び鉛直方向（Ｚ方向）の位置を変更することができる。このため、光源部５が照射する位置に蓋体３を容易に移動させることができる。
【００４１】
また、本実施形態に係る美容装置によれば、蓋体３が本体２の上面及び前面を覆うように一部が屈曲した形状を有することで、回転軸２３から蓋体３の光源部５までの距離を長くすると共にコンパクトに収納することができる。
【００４２】
また、本実施形態に係る美容装置によれば、蓋体３が開位置において、第１施術部４３はミスト噴霧部４の噴霧口４１から噴霧距離Ｄ１に位置し、第２施術部５２は光源部５の先端部５３から照射距離Ｄ２に位置する。第１施術部４３がミスト噴霧部４の噴霧口４１を中心としてθ１回転した位置に位置するとき、使用者は、回転軸２３を中心として蓋体３を開位置の状態からθ１回転させる。これにより、噴霧距離Ｄ１及び照射距離Ｄ２を一定に保つことができる。このため、本実施形態に係る美容装置の載置面の高さや使用者の施術領域の高さに依らず、噴霧距離Ｄ１及び照射距離Ｄ２を一定に保つことができる。
【００４３】
また、本実施形態に係る美容装置によれば、光を照射する方向を調整することにより、施術領域に対して水平に光を照射することができる。
【００４４】
また、本実施形態に係る美容装置によれば、ミストを噴霧する方向を調整することにより、施術領域のより適切な位置に向かってミストを噴霧することができる。
【００４５】
また、本実施形態に係る美容装置によれば、蓋体３が閉位置のときでも外蓋部６を開放することでミストを噴霧することができるため、利便性を向上させることができる。
【００４６】
なお、本発明は前記実施形態に限定されるものではなく、その他種々の態様で実施できる。例えば、前記実施形態では、蓋体３は、回転軸２３を中心に回転することにより、ミスト噴霧部４を開閉自在に覆うように構成されているとしたが、本発明はこれに限定されない。光源部５が筐体１の上部に設けられ、ミスト噴霧部４が筐体１において光源部５よりも下方に間隔を空けて設けられていれば、他の構成であってもよい。例えば、蓋体３は、移動可能な構成ではなく、図２に示すような開位置の状態で固定された構成であってもよい。この構成によっても、ミストと光との干渉を抑制することができる。
【００４７】
また、前記実施形態では、使用者が、ミスト噴霧部４がミストを第１施術部４３に噴霧するように、ミストを噴霧する方向を調整するとしたが、本発明はこれに限定されない。使用者が蓋体３を開閉することで、ミスト噴霧部４のミストの噴霧方向が連動するように構成されていてもよい。すなわち、使用者がミストの噴霧方向を調整することなく、蓋体３を開閉することによりミストの噴霧方向が自動的に調整されるように構成されていてもよい。この構成によれば、ミストの噴霧方向を使用者が調整する必要がないため、利便性を向上させることができる。
【００４８】
なお、前記様々な実施形態のうちの任意の実施形態を適宜組み合わせることにより、それぞれの有する効果を奏するようにすることができる。
【００４９】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、本発明の請求の範囲内に含まれると理解されるべきである。
【産業上の利用可能性】
【００５０】
本発明に係る美容装置は、安定した美容効果を得ることができるため、使用者の肌に対してミストの噴霧及び光の照射を行うことで美容効果を与える美容装置として有用である。
【符号の説明】
【００５１】
１    筐体
２    本体
２１  ミスト生成部
２２  給水タンク
２３  回転軸
２４  ボタン
３    蓋体
３１  外蓋部回転軸
３２  照射方向調整軸
４    ミスト噴霧部
４１  噴霧口
４２  噴霧方向調整軸
４３  第１施術部
５    光源部
５１  光源
５２  第２施術部
５３  先端部
６    外蓋部
７    保持部
【図１】
2019037714.tif 000003
【図２】
2019037714.tif 000004
【図３】
2019037714.tif 000005
【図４】
2019037714.tif 000006
【図５】
2019037714.tif 000007
【図６】
2019037714.tif 000008
【図７Ａ】
2019037714.tif 000009
【図７Ｂ】
2019037714.tif 000010